(57)【要約】      （修正有）【課題】一度風船を上空に上げた後に萎んだ場合、上空に上げようとして一旦風船を離脱させたが膨らみが足りないような場合等に、ガスボンベから再び風船内にガスを供給できる安心感に富む携帯式非常通報装置を提供する。【解決手段】ガスボンベ１に封入したガスにより風船２を膨らませて上空に上げる携帯式非常通報装置において、ガスボンベ１のガス吐出口１３に、中空針状で且つ先端側に注入口５をもつガス注入ピン６を設けていると共に、風船２の口２０に、ガス注入ピン６を着脱自在に受け入れて装着時には先端側の注入口５から風船２の内部にガスの注入を許容させる詰栓７を嵌合している。【選択図】図２
0003164478.tif 000002
【実用新案登録請求の範囲】
【請求項１】
ガスボンベに封入したガスにより風船を膨らませて上空に上げる携帯式非常通報装置において、前記ガスボンベのガス吐出口に、中空針状で且つ先端側に注入口をもつガス注入ピンを設けていると共に、前記風船の口に、前記ガス注入ピンを着脱自在に受け入れて装着時には先端側の注入口から前記風船の内部にガスの注入を許容させる詰栓を嵌合していることを特徴とする携帯式非常通報装置。
【請求項２】
前記風船の口の外側に、該風船の材質よりも硬質の首材を取り付けていると共に、前記ガスボンベのガス吐出口の近傍に、前記首材に引っ掛かって前記風船を前記ガスボンベのガス吐出口側に係止させる係止具を設けている請求項１記載の携帯式非常通報装置。
【請求項３】
前記風船を上空に上げる糸を前記ガスボンベの外周に巻回しており、前記ガスボンベのガス吐出口側を覆う蓋と、前記ガスボンベにおける前記糸の巻回部分とを、フィルム材により一体的にラッピングしている請求項１又は２記載の携帯式非常通報装置。
【考案の詳細な説明】
【技術分野】
【０００１】
本考案は、登山、ハイキング、釣り、海上レジャー等での遭難時や、地震、台風、豪雨等による災害時の孤立化等の場合に、非常通報用の風船を上空に上げて自己の居所を救助隊員等に知らせる携帯式非常通報装置に関する。
【背景技術】
【０００２】
従来、この種の通報装置は、特許文献１等により知られている。このものは、携帯式の水素ガスボンベの蓋の内側に非常通報用の風船を折り畳んで収め、その風船の口を押栓付きガス吐出口の先端に結合していると共に、風船の口に結んだ糸をガスボンベの外周に套嵌した回転筒に巻回している。いざ使用時には、ボンベの蓋を取り外して、押栓を押し、風船を膨らませ、この後、ガス吐出口の先端離脱部を手で折って風船を離脱させ、巻回した糸を繰出して上空に風船を上げる。風船の口の内部に備える逆止弁により、風船内のガスが抜けるのを防止するようにしている。
【０００３】
しかし、特許文献１のものは、一回限りの使用を想定しており、ガス吐出口の先端離脱部を折って風船を離脱させた後、あるいは、風船を上空に上げた後は、風船の口の内部に備える逆止弁によりある程度の長時間使用に耐え得るが、発見が遅れ、数日を跨ぐような長期間が経過すると、内部のガスが徐々に漏れ、風船が萎んで落下する恐れがある。萎んだ風船を結んだ糸により手繰り寄せ、自らの口で空気を吹き込んでも、風船は膨らむが、再び上空へ浮上させることはできない。
【先行技術文献】
【特許文献】
【０００４】
【特許文献１】実開平５−２２９０号公報
【考案の概要】
【考案が解決しようとする課題】
【０００５】
本考案の課題は、一度風船を上空に上げた後に萎んだ場合、あるいは、上空に上げようとして一旦風船を離脱させたが膨らみが足りないような場合等に、ガスボンベから再び風船内にガスを供給できる安心感に富む携帯式非常通報装置を提供する点にある。
【課題を解決するための手段】
【０００６】
上記課題を解決するため、図面に例示したように、ガスボンベ１に封入したガスにより風船２を膨らませて上空に上げる携帯式非常通報装置において、前記ガスボンベ１のガス吐出口１３に、中空針状で且つ先端側に注入口５をもつガス注入ピン６を設けていると共に、前記風船２の口２０に、前記ガス注入ピン６を着脱自在に受け入れて装着時には先端側の注入口５から前記風船２の内部にガスの注入を許容させる詰栓７を嵌合している特定事項をもつ。
【０００７】
上記特定事項に加え、前記風船２の口２０の外側に、該風船２の材質よりも硬質の首材８を取り付けていると共に、前記ガスボンベ１のガス吐出口１３の近傍に、前記首材８に引っ掛かって前記風船２を前記ガスボンベ１のガス吐出口１３側に係止させる係止具９を設けているのが好ましい。
【０００８】
さらに、前記風船２を上空に上げる糸３を前記ガスボンベ１の外周に巻回しており、前記ガスボンベ１のガス吐出口１３側を覆う蓋１１と、前記ガスボンベにおける前記糸３の巻回部分とを、フィルム材４により一体的にラッピングしているのも好ましい。
【考案の効果】
【０００９】
ガス注入ピン６を詰栓７に装着することにより、ガスボンベ１から風船２の内部にガスを注入でき、風船２を膨らませることができる。ガス注入ピン６と詰栓７を一旦離脱させても、再びガス注入ピン６を詰栓７に装着することにより、風船２の内部にガスを追加充填できる。このため、一度風船２を上空に上げた後に萎んだ場合、あるいは、上空に上げようとして一旦風船２を離脱させたが膨らみが足りないような場合等に、ガスボンベ１から再び風船２内にガスを注入でき、発見までに長期間を要する場合、不慣れな作業で風船２を十分に膨らませることができなかった場合等にも、やり直しが効き、長期間にわたり効果的に非常通報を発することができ、使用時に安心感に富むものとなる。
【００１０】
風船２の口２０の外側に取り付けた硬質の首材８に係止具９を引っ掛かけることにより、風船２をガスボンベ１のガス吐出口１３側に安定的に係止させることができる。このため、最初に風船２を膨らませるとき、及び、再度風船２を膨らませるとき、何れの場合も、風船２の内部に良好にガスを供給することができる。
【００１１】
ガスボンベ１の蓋１１と、ガスボンベ１の外周の糸３の巻回部分とをフィルム材４で一体的にラッピングしているため、使用前には、不用意に風船２を膨らませてしまうこともないし、巻回した糸３をバラバラにしたりすることもなく、安全性及び保管性に優れる。
【図面の簡単な説明】
【００１２】
【図１】図１は本考案に係る携帯式非常通報装置の使用前の側面図である。
【図２】図２は同携帯式非常通報装置の使用時の、一部を断面にした側面図である。
【考案を実施するための形態】
【００１３】
図１に示すように、本考案に係る携帯式非常通報装置は、直径が数センチ、好ましくは２．５ｃｍ〜６．５ｃｍの範囲内の例えば４．５ｃｍ、蓋１１を閉めた状態の高さが数センチ〜二十数センチ、好ましくは９．５ｃｍ〜２１．５ｃｍの範囲内の例えば１１．５ｃｍとしたアルミ缶製又はスチール缶製の円筒缶１２の内部に水素ガス又はヘリウムガスを圧縮して加圧状態で密封したガスボンベ１を備える。
【００１４】
このガスボンベ１が、携帯式非常通報装置の外観をそのまま構成し、リュクサック等への収納性及び使用に際しての取扱い性を良いものにしている。蓋１１は、ガスボンベ１における円筒缶１２のガス吐出口１３側を覆い、円筒缶１２に対して手で脱着できる。蓋１１の内側には膨らませる前のゴム製又はビニル製の非常通報用の風船２を収めている。
【００１５】
風船２を上空に上げるための糸３には、数十メートル〜数百メートル、好ましくは３０ｍ〜３００ｍの範囲内の例えば１００ｍの長さをもつ炭素繊維系等の強度のある糸を用いている。この他、糸３には、タコ糸又は釣糸等を用いることもできる。この糸３はガスボンベ１の円筒缶１２の外周に巻回しており、糸３の元端側は、ガスボンベ１の円筒缶１２の下部に貼り付ける薄膜アルミラベルシール３０により円筒缶１２の表面に強固に固定している。
【００１６】
使用前、ガスボンベ１の蓋１１と、ガスボンベ１の円筒缶１２における糸３の巻回部分とは、透明なフィルム材４により一体的にラッピングしている。使用時には、フィルム材４を破断する。これにより、蓋１１の取り外しと、糸３の繰出しとが始めて可能になる。フィルム材４には予め縦方向にミシン目等の破断線を設けておくのも好ましい。
【００１７】
図２に示すように、蓋１１を取り外すと、ガスボンベ１の円筒缶１２の上部のガス吐出口１３及びこのガス吐出口１３に予めその口２０を装着した風船２が現れる。ガス吐出口１３は、円筒缶１２のガス流出口１４に取り付けた樹脂製のガン本体１５と、ガス流出口１４の内方に埋設したバルブコア１６を開閉する樹脂製の押栓１７とをもつ。押栓１７を矢印で示すように指で押し下げると、バルブコア１６が開いてガスが流出し、押栓１７から指を離すと復帰バネ等により押栓１７は元の位置に自動的に戻り、バルブコア１６が閉じてガスの流出が止まる。風船２を上空に上げるときの適正な膨らみは、直径約３０ｃｍ〜４０ｃｍ程度である。
【００１８】
ガス吐出口１３には、ガン本体１５の内部に設けるガス流出通路に連通する中空針状で且つ先端側に横方向に開口する注入口５をもつガス注入ピン６を設けている。このガス注入ピン６は、球技用のボール等に空気を入れる針状のピンと同原理の構造をもち、直径１〜３ｍｍ程度の細い中空針状のステンレスパイプ等から成り、その先端は、後記詰栓７への挿入性を良くすると共に後記逆止弁２１をソフトに押し開くことができるよう、丸みを帯びた形状にしている。
【００１９】
風船２の口２０には、中心部にガス注入ピン６を圧入状態で挿入させる小穴７０を設けたゴム製の詰栓７を嵌合している。詰栓７の奥には、浮き輪やビーチボール等で使用されるものと同原理のガス抜け防止用のゴム製又はビニル製の逆止弁２１を埋設している。この逆止弁２１は、スリット状の連通穴２２をもつ弁座２３と、この弁座２３の連通穴２２を開閉する弁シート２４とを一体に備え、弁座２３の外周部を接着等により風船２の内面に接合している。詰栓７も、その外周部を接着等により風船２の内面に接合している。
【００２０】
風船２の口２０の外側には、該風船２の材質よりも硬質な樹脂製の首材８を取り付けている。この首材８は、風船２の口２０の端部の外広がりした輪２５により抜け止めされた状態で嵌合される筒状部８１と、風船２が膨らむ首元部分に倣うラッパ状部８２と、これらの間に設ける段部８３と、糸３の先端部を輪状に締結する環状溝８４及びその一部から糸を垂らす糸通溝８５とから成る。
【００２１】
ガス吐出口１３における風船２との近傍位置、すなわち、ガン本体１５の風船装着側の端面には、首材８の段部８３に引っ掛かけて風船２をガスボンベ１のガス吐出口１３側に係止させる係止具９を一体に設けている。この係止具９は、段部８３の円周上の一部において該段部８３に引っ掛かる鍵状部９０を有し、風船２の装着時は、風船２をガス吐出口１３側に安定的に係止させ、風船２の離脱時は、指で鍵状部９０を段部８３から容易に外せるようにしている。
【００２２】
以上の構成において、小穴７０を予め設けたゴム製の詰栓７に代え、ガス注入ピン６の突入により後で穴が形成される粘土質材料の詰栓７を用いても良い。ガスボンベ１の蓋１１の内側には、予めガス吐出口１３に装着しておく風船２の他に、予備の風船２を収納しておいても良い。
【００２３】
予備の風船２については、最低でも一個は蓋１１の内側等に収納しておく他、必要に応じて複数個をリュックやベルト等に携帯できるようにしてもよい。これら蓋１１やリュック、ベルト等に用意する予備の風船２についても、ガス吐出口１３に装着した風船２と同様、口２０の部分に逆止弁２１及び詰栓７を取り付けておく。さらに、口２０の部分に１０〜２０ｃｍ程度の丈夫な紐の一端を強固に固定し、その紐の他端には小形の登山用フック等を強固に取り付けておくのが好ましい。
【００２４】
こうして、先ず最初に、ガス吐出口１３に既に装着されている第１の風船２を予定どおりの手順により空中に打ち上げる。第１の風船２が破裂するなど、万一の場合に備えて、続けて蓋１１の内側に収納した予備の風船２を打ち上げる（この時点で空中には２個の風船２が係留される）。その後、状況により２個の風船２が萎んできた場合や、もっと目立たせたい場合、また風の強弱等の状況に応じ、更に予備の風船２を打ち上げる。これら予備の風船２の打ち上げには、糸３に予備の風船２の紐の他端に取り付けたフックを引っ掛けてから水素ガスを注入し、その後、手を離すと、糸３に沿って自動的に最初の風船２の所まで上昇して止まる。フックは小さいものであるので、最初の風船２の首材８がストッパーの役目を果たす。
【００２５】
同じ動作を繰り返すことにより、たとえ一個や二個の風船２が割れるなど、不測の事態が発生しても、その都度、適宜新たな風船２を打ち上げることができる。また、一個の風船２が直径３０〜４０ｃｍと小さくても、数を二個、三個、四個・・・と増やすことにより、全体のボリュームアップが図られ、アドバルーンのようにすることも可能となる。また、予備の風船２については、より目立たせるため、混合しても使用できるよう、カラーバリエーションに富んだ色合いのものを数種類用意するのも好ましい。
【００２６】
また、予備の風船２の他、予備のガスボンベ１を用意しておくのもよい。この場合、ガス吐出口１３側を円筒缶１２に対して着脱可能とし、予備として用意する円筒缶１２（水素ガスが充填された缶）を差し替える仕様にするのがよい。さらに、予備の風船２と予備のボンベ（円筒缶１２）を別途一体携帯できるようにパッケージ化するのも好ましい。
【符号の説明】
【００２７】
１；ガスボンベ
１１；蓋
１３；ガス吐出口
２；風船
２０；口
３；糸
４；フィルム材
５；注入口
６；ガス注入ピン
７；詰栓
８；首材
９；係止具
【図１】
0003164478.tif 000003
【図２】
0003164478.tif 000004